(57)【要約】【課題】複写機において、複写動作の前に安定駆動を行う必要があり、複写開始までの時間が長くかかるという課題があった。【解決手段】複写モードが「カラーモード」か「白黒モード」かを判別する判別手段２を設ける。この判別手段２は、複写用原稿がセットされた後であって、複写設定をするために、カラーキー６が押されたか、白黒キー７が押されたかの押圧タイミングで、複写モードが「カラーモード」か「白黒モード」かを判別する。【効果】判別手段２が判別した複写モードは、その後に切り換えられる可能性が極めて低く、判別された複写モードで複写が実行される蓋然性が極めて高い。よって、安定駆動が無駄にならず、安定駆動後に速やかに複写を実行できる。【選択図】図２
2007223079.tif 000002
【特許請求の範囲】
【請求項１】
画像の形成に先立ち、画像形成を行うために動作する画像形成用の各構成要素を起動させ、それらの動作を安定させるための安定駆動を行う画像形成装置において、
画像形成モードが第１モードか第２モードかを判別する判別手段と、
前記判別手段が第１モードを判別したときには、前記安定駆動を予め定める低速で実行する第１モード用安定駆動実行手段と、
前記判別手段が第２モードを判別したときには、前記安定駆動を予め定める高速で実行する第２モード用安定駆動実行手段とを含み、
前記判別手段は、複写用原稿がセットされた後であって、予め定める複写設定が行われたタイミングで、前記画像形成モードが第１モードか第２モードかを判別することを特徴とする、画像形成装置。
【請求項２】
前記第１モードはフルカラー画像を形成するカラーモードを含み、第２モードは白黒画像を形成する白黒モードを含むことを特徴とする請求項１記載の画像形成装置。
【請求項３】
画像の形成に先立ち、画像形成を行うために動作する画像形成用の各構成要素を起動させ、それらの動作を安定させるための安定駆動を行う画像形成装置において、
前記安定駆動を、カラーの画像形成に適した予め定める低速で実行するか、白黒の画像形成に適した予め定める高速で実行するかを設定するための安定駆動速度設定手段と、
前記安定駆動速度設定手段により設定された駆動速度に基づいて、安定駆動を実行する安定駆動実行手段と、
を含むことを特徴とする画像形成装置。
【請求項４】
画像の形成に先立ち、画像形成を行うために動作する画像形成用の各構成要素を起動させ、それらの動作を安定させるための安定駆動を行う画像形成装置において、
過去に行われた画像形成の駆動速度を履歴として記憶する記憶手段と、
前記記憶手段に記憶された駆動速度の履歴に基づいて、利用頻度の高い駆動速度で前記安定駆動を実行する安定駆動実行手段と、
を含むことを特徴とする画像形成装置。
【請求項５】
画像の形成に先立ち、画像形成を行うために動作する画像形成用の各構成要素を起動させ、それらの動作を安定させるための安定駆動を行う画像形成装置において、
請求項１記載の構成、請求項３記載の構成および請求項４記載の構成を備え、前記安定駆動を、請求項１記載の構成、請求項３記載の構成または請求項４記載の構成のいずれによって行うかを切り換えるための切換手段を有することを特徴とする画像形成装置。
【発明の詳細な説明】
【技術分野】
【０００１】
この発明は、画像形成装置に関し、特に、複写機に関する。
【背景技術】
【０００２】
画像形成装置において、画像の形成に先立ち、画像形成を行うために動作する画像形成用の各構成要素を起動させ、それらの動作を安定させる安定駆動を行うものが知られている（たとえば特許文献１）。
【０００３】
安定駆動では、駆動モータの速度の安定、ポリゴンモータの速度の安定、印加する高電圧の安定、定着温度の安定等が図られる。画像形成の開始、すなわちスタートキー押下等に先立ち、かかる安定駆動が行われることによって、スタートキーの押下後、迅速に画像形成処理を開始することが可能になる。
【特許文献１】特開平１１−２８８１８１号公報
【発明の開示】
【発明が解決しようとする課題】
【０００４】
安定駆動は、安定駆動の後に引き続いて行われる画像形成に迅速に入るためのものであるから、安定駆動では、画像形成時に動作される動作速度と等しい速度で画像形成用の各構成要素が動作される。たとえば、画像形成モードが「カラーモード」である場合には、安定駆動では、予め定める低速で画像形成用の各構成要素が動作される。また、画像形成モードが「白黒モード」では、予め定める高速で画像形成用の各構成要素が動作される。つまり、カラーの画像形成が行われる際には、画像形成用の各構成要素は相対的に低速で駆動され、白黒の画像形成が行われる際には、画像形成用の各構成要素は相対的に高速で動作されるので、それに合わせて、安定駆動の速度が設定されることになる。
【０００５】
また、安定駆動後に画像形成モードが切り換えられたときには、切り換えられた画像形成モードに合わせて、再び、安定駆動がされ、安定駆動後に画像形成が実行されるようになっている。
【０００６】
このため、画像形成装置が、カラー画像形成を行えると共に、白黒画像形成を行える装置である場合に、画像形成モードの切り換えがある毎に、安定駆動を行う必要があり、画像形成開始までの時間が長くかかるという課題があった。
【０００７】
この発明は、かかる背景のもとになされたもので、画像形成装置において、実行されるであろう画像形成モードを実際の画像形成の開始よりも先に把握または推測して、適切な安定駆動を行い、画像形成開始までの時間の短縮を図った画像形成装置を提供することを手段たる目的とする。
【課題を解決するための手段】
【０００８】
請求項１記載の発明は、画像の形成に先立ち、画像形成を行うために動作する画像形成用の各構成要素を起動させ、それらの動作を安定させるための安定駆動を行う画像形成装置において、画像形成モードが第１モードか第２モードかを判別する判別手段と、前記判別手段が第１モードを判別したときには、前記安定駆動を予め定める低速で実行する第１モード用安定駆動実行手段と、前記判別手段が第２モードを判別したときには、前記安定駆動を予め定める高速で実行する第２モード用安定駆動実行手段とを含み、前記判別手段は、複写用原稿がセットされた後であって、予め定める複写設定が行われたタイミングで、前記画像形成モードが第１モードか第２モードかを判別することを特徴とする、画像形成装置である。
【０００９】
請求項２記載の発明は、前記第１モードはフルカラー画像を形成するカラーモードを含み、第２モードは白黒画像を形成する白黒モードを含むことを特徴とする請求項１記載の画像形成装置である。
【００１０】
請求項３記載の発明は、画像の形成に先立ち、画像形成を行うために動作する画像形成用の各構成要素を起動させ、それらの動作を安定させるための安定駆動を行う画像形成装置において、前記安定駆動を、カラーの画像形成に適した予め定める低速で実行するか、白黒の画像形成に適した予め定める高速で実行するかを設定するための安定駆動速度設定手段と、前記安定駆動速度設定手段により設定された駆動速度に基づいて、安定駆動を実行する安定駆動実行手段と、を含むことを特徴とする画像形成装置である。
【００１１】
請求項４記載の発明は、画像の形成に先立ち、画像形成を行うために動作する画像形成用の各構成要素を起動させ、それらの動作を安定させるための安定駆動を行う画像形成装置において、過去に行われた画像形成の駆動速度を履歴として記憶する記憶手段と、前記記憶手段に記憶された駆動速度の履歴に基づいて、利用頻度の高い駆動速度で前記安定駆動を実行する安定駆動実行手段と、を含むことを特徴とする画像形成装置である。
【００１２】
請求項５記載の発明は、画像の形成に先立ち、画像形成を行うために動作する画像形成用の各構成要素を起動させ、それらの動作を安定させるための安定駆動を行う画像形成装置において、請求項１記載の構成、請求項３記載の構成および請求項４記載の構成を備え、前記安定駆動を、請求項１記載の構成、請求項３記載の構成または請求項４記載の構成のいずれによって行うかを切り換えるための切換手段を有することを特徴とする画像形成装置である。
【発明の効果】
【００１３】
請求項１または２記載の発明によれば、安定駆動の開始に先立ち、判別手段により画像形成モードが判別される。判別手段による画像形成モードの判別は、予め定める複写設定が行われたタイミングで実行される。すなわち、画像形成装置が複写機として動作する場合においては、通常、（１）複写原稿のセット→（２）複写モード（カラーモード／白黒モード）の設定→（３）複写枚数／複写部数の設定→（４）スタートキーの押下、の順序で操作パネルが操作される。請求項１記載の発明では、このような操作順序に着目して、予め定める複写設定、たとえば上記の（２）複写モードの設定、または、（３）複写枚数／複写部数の設定が行われたタイミングで、判別手段が画像形成モード、すなわち複写モードが「カラーモード」か「白黒モード」かを判別するようにした。こうすることにより、判別手段が判別した画像形成モード（複写モード）は、その後に切り換えられる可能性が極めて低く、判別された画像形成モード（複写モード）で画像形成（複写）が実行される蓋然性が極めて高い。よって、判別手段が判別した画像形成モードに基づいて、その画像形成モードに応じた安定駆動を実行することにより、安定駆動が無駄にならず、安定駆動後に速やかに画像形成（複写）を実行することのできる画像形成装置となる。
【００１４】
なお、第１モードとしては、カラーモード以外に、厚紙複写、光沢紙複写などの特殊紙複写モードとし、第２モードとしては、普通紙複写モードとしてもよい。
【００１５】
この結果、いわゆるフアーストコピーまでの時間短縮を図ることができる。
【００１６】
請求項３記載の発明によれば、安定駆動の速度を設定しておくことのできる設定手段（初期設定手段）を設けることにより、画像形成装置が使用される環境に合わせて、安定駆動の速度を設定することができる。たとえば、画像形成装置が、カラー複写が極めて多いオフィス等で使用される場合には、設定手段により安定駆動の駆動速度を相対的に低速に設定しておけばよい。逆に、白黒複写が極めて多い職場では、設定手段により安定速度を相対的に高速に設定しておけばよい。かかる設定手段を用いることにより、原稿画像の設定とほぼ同時に安定駆動を開始することができる。そしてその安定駆動は、画像形成モードと異なる駆動速度ではなく、画像形成モードに適した安定駆動であることが多く、ファーストコピーまでの時間短縮を図ることができる。
【００１７】
請求項４記載の発明では、使用頻度の履歴に応じて、安定駆動の速度を切り換える。従って、画像形成装置が使用される環境や環境変化に合わせて、適切な速度で安定駆動が行われる可能性が高く、その後の画像形成モードの切り換えにより、安定駆動を再度行わなければならないといった事態を少なくすることができる。
【００１８】
請求項５記載の発明によれば、請求項１、３、４の構成に基づく安定駆動の仕方を、ユーザが選択することができ、ユーザの使い勝手が良く、ユーザは、使用環境に適した安定駆動のさせ方を、画像形成装置に付与することができる。
【発明を実施するための最良の形態】
【００１９】
以下には、図面を参照して、この発明の実施形態について具体的に説明をする。
【００２０】
図１は、この発明の一実施形態に係る画像形成装置としての複写機の構成ブロック図である。図１の構成ブロック図は、この発明の実施形態の特徴である制御に関連する構成要素だけが示されている。
【００２１】
複写機１には、制御部２が備えられている。制御部２は、ＣＰＵ等で構成されていて、複写機１全体の制御を司る。複写機１には、また、原稿検知スイッチ３、原稿カバー開閉スイッチ４、操作パネル５が備えられている。原稿検知スイッチ３は、複写機１に、たとえば自動原稿送り装置が備えられている場合において、自動原稿送り装置に原稿がセットされたときにそれを検知して信号を出力するスイッチである。原稿カバー開閉スイッチ４は、複写機１のプラテンガラス等の原稿読取台に原稿をセットするために、原稿カバーが開閉されたときに信号を出力するスイッチである。原稿検知スイッチ３および原稿カバー開閉スイッチ４の信号は、制御部１へ与えられる。
【００２２】
操作パネル５には、複写機１に対して各種の設定信号や指令信号を与えるための操作ボタンが配列されている。操作ボタンの中には、フルカラーの複写を行うために、第１モードとしてのカラーモードを設定するためのカラーキー６、モノクロの複写を行うために第２モードとしての白黒モードを設定するための白黒キー７および複写開始の指令を与えるためのスタートキー８が含まれている。これら各キーの信号は、制御部２へ与えられる。      
【００２３】
制御部２は、複写を行うために動作する複写用の各構成要素、たとえば駆動モータ９、ポリゴンモータ１０、帯電器１１や転写器１２等に高電圧を印加するための高圧回路１３、定着装置１４等の動作を制御する。
【００２４】
図２は、図１に示した複写機１の制御部２の制御動作を示すフローチャートである。図２に示すフローの流れに従って、複写機１におけるこの実施形態の特徴となる制御動作について説明をする。
【００２５】
制御動作がスタートすると、制御部２は、複写原稿がセットされたことまたは複写原稿セットのために原稿カバーが開閉されたことに基づき、安定駆動を行うための制御動作に入る。すなわち、原稿検知スイッチ３または原稿カバー開閉スイッチ４からの信号に基づき、制御部２は、図２に示す安定駆動のための制御動作をスタートする。
【００２６】
この実施形態では、制御部２が行う安定駆動のための制御動作は、複写機１に備えられた切り換えスイッチ（図示せず）により、設定速度を使用して安定駆動の制御を行うか、履歴を使用して安定駆動の制御を行うか、設定タイミングを利用して安定駆動の制御を行うかが切り換えられるようになっている。
【００２７】
設定速度を使用して安定駆動を行う場合は、ステップＳ１で、設定速度を使用して安定駆動制御を行う旨の判断が肯定され（ステップＳ１でＹＥＳ）、設定された駆動速度で安定駆動が実行される（ステップＳ２）。設定された駆動速度とは、たとえば操作パネル５により、安定駆動の設定（初期設定）として設定されている駆動速度であり、初期設定が、カラー用駆動速度に設定されていれば、相対的に低速のカラー用安定駆動が実行される。また、設定されている速度が白黒用駆動速度の場合は、相対的に高速の駆動速度で安定駆動が実行される。
【００２８】
この実施形態に係る複写機１は、具体的には、たとえば白黒の画像形成速度は、Ａ４サイズの用紙を対象とした場合、４０枚／分を達成できる。一方、カラーの複写の場合は、Ａ４サイズの用紙を対象とした場合、８枚／分である（白黒に換算して３０枚／分の速度）。従って、白黒の複写を行う場合は、画像形成用の各構成要素を相対的に高速で駆動させ、カラーの複写を行う場合は、画像形成用の各構成要素を相対的に低速で駆動させる。このため、複写が、カラーであるか白黒であるかにより、安定駆動において、各構成要素の駆動速度を相対的に低速と高速とに切り換える必要がある。
【００２９】
この設定（初期設定）は、複写機１が使用される環境に合わせて設定されているから、通常使用されるモードに合わせた駆動速度となっている。
【００３０】
そして、安定駆動の速度が複写速度と一致しているか否かが判別され（ステップＳ３）、もし安定駆動速度が複写速度と一致していなければ、複写速度で安定駆動が再実行される（ステップＳ４）。
【００３１】
ステップＳ３での判断が肯定されたときには（ステップＳ３でＹＥＳ）、スタートキー８が押されて複写開始信号入力があったと判断されたことにより（ステップＳ５でＹＥＳ）、複写動作が実行される（ステップＳ６）。
【００３２】
設定された速度ではなく（ステップＳ１でＮＯ）、履歴を使用する場合には、ステップＳ７での判断が肯定されて（ステップＳ７でＹＥＳ）、処理はステップＳ８へ進む。
【００３３】
ステップＳ８では、制御部２に記憶されている使用履歴に基づき、カラー複写の利用頻度が高いか、白黒複写の利用頻度が高いかが確認されて、利用頻度の高い方の駆動速度で安定駆動が実行される（ステップＳ８）。
【００３４】
そして、実行された安定駆動の速度と、複写速度とが一致するか否かが判別され（ステップＳ３）、もし安定駆動速度と複写速度とが一致しなければ、複写速度で再度安定駆動が実行される（ステップＳ４）。
【００３５】
そして、スタートキー８が押下されて複写開始信号の入力があったと判別されると（ステップＳ５でＹＥＳ）、複写が実行される（ステップＳ６）。
【００３６】
複写機１における安定駆動の制御が、設定速度を使用するのではなく（ステップＳ１でＮＯ）、履歴を使用するのでもない（ステップＳ７でＮＯ）場合には、設定タイミングが利用されるか否かが判別される（ステップＳ９）。設定タイミングを利用するとは、複写原稿がセットされた後、その複写のための所定の設定が入力されたタイミングをトリガとして、複写モードを判別するというやり方である。たとえば、複写原稿がセットされてから、ユーザは、複写機１に対して、複写モード（カラーモード／白黒モード）の設定を行う。たとえば、カラーキー６を押すか、白黒キー７を押すかによりこの設定を行う。また、図示しないテンキーを押して、複写部数の入力を行う。さらに、複写枚数の入力を行う。これら複写に関する入力のうちの予め定める入力があったタイミングをトリガとして、複写モードを検出するのが、設定タイミングで切り換える制御である。
【００３７】
この実施形態では、複写モードが設定されたタイミング、すなわちカラーキー６または白黒キー７が押されたタイミングで、複写設定があった旨の判別がされ（ステップＳ１０でＹＥＳ）、設定された複写モードが検出される（ステップＳ１１）。そして検出された複写モードに対応した駆動速度で、安定駆動が実行される（ステップＳ１２）。
【００３８】
この場合は、安定駆動の速度と複写速度とが一致しており、その後に複写モードが切り換えられることは殆どないであろうから、通常、処理は、ステップＳ１２→ステップＳ３→ステップＳ５へと進み、スタートキー８が押下されたことによって、複写が実行される（ステップＳ６）。
【００３９】
この実施形態では、カラーキー６または白黒キー７が押されたタイミングで、複写設定があった旨の判別がされるが、これに代え、複写部数または複写枚数が設定されたタイミングで、複写設定があった旨の判別がされるようにしてもよい。
【００４０】
なお、ステップＳ９で、設定タイミングを利用して切り換えが行われない場合には、設定タイミングの入力を待たずに、直ちに複写モードが検出される（ステップＳ１１）。そして検出された複写モードに合った駆動速度で安定駆動が実行される（ステップＳ１２）。
【００４１】
この実施形態では、以上のように安定駆動の制御が行われるから、安定駆動を、その後に行われる複写動作を推測して、その後に行われる複写動作に対応した速度で実行することができ、複写開始までの時間を短縮することができる。
【００４２】
この発明は、以上説明した実施形態に限定されるものではなく、請求項記載の範囲内において種々の変更が可能である。たとえば、第１モードを特殊紙、厚紙、光沢紙などの特殊紙複写モードとし、第２モードを普通紙複写モードとしてもよい。
【図面の簡単な説明】
【００４３】
【図１】この発明の一実施形態に係る複写機の構成ブロック図である。
【図２】図１に示した複写機１の制御部２の制御動作を示すフローチャートである。
【符号の説明】
【００４４】
１    複写機
２    制御部
６    カラーキー
７    白黒キー
８    スタートキー
９    駆動モータ
１０    ポリゴンモータ
１３    高圧回路
１４    定着装置
【図１】
2007223079.tif 000003
【図２】
2007223079.tif 000004